(57)【特許請求の範囲】
【請求項１】
無線通信において周波数ホッピングを利用することと、
周波数ホッピングを利用して、ハイブリッド自動再送要求確認応答チャネルについてセル間干渉をランダム化することと、
１つのインデックスＳによって複数のハイブリッド自動再送要求確認応答チャネル並び替えパターンを表し、前記インデックスＳに、サブセット選択ビット及びそれぞれがハイブリッド自動再送要求確認応答チャネルの位置を表すビットフィールドを複数含め、前記インデックスＳを、前記セル間干渉のランダム化するように、時間軸に沿って変化させることと、
前記無線通信について、時分割多重化または周波数分割多重化を利用することと
を含む
方法。
【請求項２】
符号分割多重化をさらに利用する確認応答チャネルにおいて周波数ホッピングを利用することを含む請求項１に記載の方法。
【請求項３】
周波数ホッピングを利用することは、制御チャネル並び替えを利用することを含む請求項１または２に記載の方法。
【請求項４】
ハイブリッド自動再送要求サブチャネル並び替えを利用することをさらに含む請求項１から３のいずれか一項に記載の方法。
【請求項５】
ハイブリッド自動再送要求サブチャネルインデックス並び替えを利用することをさらに含む請求項４に記載の方法。
【請求項６】
複数の異なるセクタのタイルを複数の物理的に異なる周波数−時間的位置に並び替えることをさらに含む請求項５に記載の方法。
【請求項７】
３つのハイブリッド自動再送要求チャネルユニットを含むハイブリッド自動再送要求チャネルを利用することを含み、各ハイブリッド自動再送要求チャネルユニットは、２つの直交周波数分割多重化シンボルから成るサブキャリアを１つ含む請求項１から６のいずれか一項に記載の方法。
【請求項８】
１つのハイブリッド自動再送要求ユニットを複数の物理サブキャリアにマッピングすることを含む請求項７に記載の方法。
【請求項９】
前記インデックスＳにおいて、０≦Ｓ＜２１６である請求項１から８のいずれか一項に記載の方法。
【請求項１０】
Ｓを時間に応じて変化させ、干渉ランダム化を最大限に活用するべく変化パターンはセクタ毎に異ならせることを含む請求項１から９のいずれか一項に記載の方法。
【請求項１１】
複数のセクタ間でＳを計画的に決定することを含む請求項１から１０のいずれか一項に記載の方法。
【請求項１２】
コンピュータに、
無線通信において周波数ホッピングを利用させて、
周波数ホッピングを利用して、ハイブリッド自動再送要求確認応答チャネルについてセル間干渉をランダム化させて、
１つのインデックスＳによって複数のハイブリッド自動再送要求確認応答チャネル並び替えパターンを表わさせ、前記インデックスＳに、サブセット選択ビット及びそれぞれがハイブリッド自動再送要求確認応答チャネルの位置を表すビットフィールドを複数含め、前記インデックスＳを、前記セル間干渉のランダム化するように、時間軸に沿って変化させて、
前記無線通信について、時分割多重化または周波数分割多重化を利用させる
ためのプログラム。
【請求項１３】
さらにコンピュータに、さらに符号分割多重化を利用する確認応答チャネルにおいて周波数ホッピングを利用させるための請求項１２に記載のプログラム。
【請求項１４】
さらにコンピュータに、制御チャネル並び替えを利用させるための請求項１２または１３に記載のプログラム。
【請求項１５】
さらにコンピュータに、ハイブリッド自動再送要求サブチャネル並び替えを利用させるための請求項１２から１４のいずれか一項に記載のプログラム。
【請求項１６】
さらにコンピュータに、ハイブリッド自動再送要求サブチャネルインデックス並び替えを利用させるための請求項１５に記載のプログラム。
【請求項１７】
さらにコンピュータに、複数の異なるセクタのタイルを複数の物理的に異なる周波数−時間的位置に並び替えさせるための請求項１６に記載のプログラム。
【請求項１８】
さらにコンピュータに、各々が２つの直交周波数分割多重化シンボルから成るサブキャリアを１つ含む３つのハイブリッド自動再送要求チャネルユニットを含むハイブリッド自動再送要求チャネルを利用させる請求項１２から１７のいずれか一項に記載のプログラム。
【請求項１９】
さらにコンピュータに、１つのハイブリッド自動再送要求ユニットを複数の物理サブキャリアにマッピングさせるための請求項１８に記載のプログラム。
【請求項２０】
周波数ホッピングを利用することによって、時分割多重化または周波数分割多重化を利用するハイブリッド自動再送要求確認応答チャネルについてセル間干渉をランダム化するユニットと、
前記ユニットに結合されている受信器と、
前記ユニットに結合されている送信器と
を備え、
前記ユニットは、
１つのインデックスＳによって複数のハイブリッド自動再送要求確認応答チャネル並び替えパターンを表し、前記インデックスＳに、サブセット選択ビット及びそれぞれがハイブリッド自動再送要求確認応答チャネルの位置を表すビットフィールドを複数含め、前記インデックスＳを、前記セル間干渉のランダム化するように、時間軸に沿って変化させる
移動局。
【請求項２１】
前記ユニットは、ハイブリッド自動再送要求確認応答バッファである請求項２０に記載の移動局。
【請求項２２】
前記ユニットは、コントローラである請求項２０または２１に記載の移動局。
【請求項２３】
無線周波数送信側ではシンボル変調器および符号化器に結合されており、且つ、無線周波数受信側ではシンボル復調器およびエラーチェック部に結合されているハイブリッド自動再送要求バッファを備える請求項２１または２２に記載の移動局。
【請求項２４】
前記移動局は、符号分割多重化を利用する請求項２０から２３のいずれか一項に記載の移動局。
【請求項２５】
前記ユニットは、制御チャネル並び替えと共に周波数ホッピングを利用する請求項２０から２４のいずれか一項に記載の移動局。
【請求項２６】
前記ユニットは、ハイブリッド自動再送要求サブチャネル並び替えを利用する請求項２０から２５のいずれか一項に記載の移動局。
【請求項２７】
前記ユニットは、ハイブリッド自動再送要求サブチャネルインデックス並び替えを利用する請求項２６に記載の移動局。
【請求項２８】
前記ユニットは、複数の異なるセクタのタイルを複数の物理的に異なる周波数−時間的位置に並び替える請求項２７に記載の移動局。
【請求項２９】
前記ユニットは、３つのハイブリッド自動再送要求チャネルユニットを含むハイブリッド自動再送要求チャネルを利用し、各ハイブリッド自動再送要求チャネルユニットは、２つの直交周波数分割多重化シグナルから成るサブキャリアを１つ含む請求項２０から２８のいずれか一項に記載の移動局。
【請求項３０】
前記ユニットは、１つのハイブリッド自動再送要求ユニットを１つの物理サブキャリアにマッピングする請求項２９に記載の移動局。
【発明の詳細な説明】
【技術分野】
【０００１】
本願は、概して無線通信に関し、具体的には無線システムにおけるハイブリッド自動再送要求（ＨＡＲＱ）の利用に関する。
【背景技術】
【０００２】
無線ネットワークにおいて基地局と移動局との間の通信のエラーを低減するべく、移動局は、受信した信号に対して、受信した信号にエラーがあるか否かを示す応答を送る。基地局から移動局への通信チャネルは、ダウンリンクと呼ばれ、ハイブリッド自動再送要求（ＨＡＲＱ）パケットを含む場合がある。移動局から基地局へのチャネルは、アップリンクと呼ばれ、送信内容にエラーが含まれていれば、確認応答（ＡＣＫ）または否定確認応答（ＮＡＫ）のいずれかを供給する。
【０００３】
基本的に、ＨＡＲＱには、送信すべきデータに加えてエラー検出情報ビットがある。移動局は、このビットに基づき、基地局から送信された情報を正確に受信したか否かを判断することができる。移動局は、正確に受信していれば確認応答を送り、正確に受信していなければ否定確認応答を送る。
【０００４】
ＨＡＲＱ領域は、３つの別々のフィードバックミニタイル（ＦＭＴ）を用いて構成されている。各ＦＭＴは、６個の直交波周波数分割多重（ＯＦＤＭ）シンボルによるサブキャリアを２つ持つ。符号分割多重化を利用する方法が提案されているが、純粋な符号分割多重化に基づく方法は、移動度が高い場合、特に、複数のユーザが並行して送信を行なう場合にはエラーフロアが発生することが分かっている。時分割多重化／周波数分割多重化を利用する方法も提案されている。時分割多重化／周波数分割多重化の場合、１つのＨＡＲＱフィードバック領域を、時分割多重化または周波数分割多重化を用いて、６つの直交するＨＡＲＱフィードバックチャネルに分割する。各ＨＡＲＱフィードバックチャネルは、２つのＯＦＤＭシンボルによる１つのサブキャリアを持つユニットを３つ含む。長さが２の直交シーケンスを用いて、１ビットの確認応答／否定確認応答情報を搬送するとしてよい。時分割／周波数分割多重化方式によれば、移動度が高い場合のエラーフロアの発生という問題を解決することができる。さらに、動作は、移動局の移動速度に対してロバスト性を持つ。
【０００５】
時分割、周波数分割、符号分割を組み合わせたハイブリッド式多重化方法は、同様の性能を実現することができ、高い移動度に対して同様にロバスト性を持つ。しかし、時分割／周波数分割多重化方式には、元々の設計では分散している送信電力が３つのタイルに集中するので、他のセルに対して干渉が発生してしまう可能性があるという大きな欠点がある。
【図面の簡単な説明】
【０００６】
【図１】一実施形態を示す概略図である。
【図２】一実施形態に係るＨＡＲＱフィードバックチャネルの時分割／周波数分割方式を示す図である。
【図３】別の実施形態に係るＨＡＲＱフィードバックチャネルの時分割／周波数分割多重化方式を示す図である。
【図４】さらに別の実施形態に係るＨＡＲＱフィードバックチャネルの時分割／周波数分割／符号分割多重化方式を示す図である。
【図５】一実施形態に係る干渉ランダム化に関するフローチャートである。
【図６】一実施形態に係るＨＡＲＱチャネルサブキャリアインデックス化方式を示す図である。
【図７】各セルが３つのセクタ、α、βおよびλを持つ１９個のセルから成るネットワークを一例として説明する図である。
【発明を実施するための形態】
【０００７】
図１を参照しつつ説明すると、基地局１０は、ダウンリンクチャネル１６を介して移動局１２にＨＡＲＱイネーブルパケットを供給するとしてよい。移動局１２は、確認応答（ＡＣＫ）または否定確認応答（ＮＡＫ）を供給するアップリンク確認応答チャネル１４を提供するとしてよい。
【０００８】
移動局１２は、ＯＦＤＭ復調器２０に結合されている無線周波数受信器１８を有するとしてよい。ＯＦＤＭ復調器は、サブキャリアのデマッピングを行なうシンボル復調器２２に結合されているとしてよい。シンボル復調器２２は、ＨＡＲＱバッファ３０に結合されているとしてよい。シンボル復調器２２はさらに、復号器２４にも結合されているとしてよい。エラーチェック２６は、ダウンリンクチャネル１６で受信したＨＡＲＱイネーブルパケットにエラーが含まれているか否かを判断して、その判断結果をＨＡＲＱバッファ３０およびコントローラ２８に伝える。
【０００９】
送信時について説明すると、コントローラ２８が、符号化器３２およびＨＡＲＱバッファ３０と通信する。符号化器３２が、サブキャリアのマッピングを行なうシンボル変調器３４に結合されている。シンボル変調器は、ＲＦ送信器３８に結合されているＯＦＤＭ変調器３６に結合されている。
【００１０】
本発明の一部の実施形態によると、図５に示すように、マルチセル動作環境における性能のロバスト性を保証するべく、セル干渉をランダム化する。干渉のランダム化は、複数のレベルで行なうとしてよい。第１のレベル（図５では、ブロック４０）では、ＨＡＲＱ領域の並び替えを行なうとしてよい。このレベルでは、複数の異なるセクタのタイルを物理的に異なる周波数−時間位置に並び替えるとしてよい。この並び替えは、セル毎に行なわれ、常に衝突が発生する事態を避けるべく、所定時間毎にホッピングすることができる。
【００１１】
時分割（ＴＤＭ）／周波数分割（ＦＤＭ）多重化方法、または、時分割／周波数分割／符号分割（ＣＤＭ）多重化方法はアップリンクＨＡＲＱフィードバック領域に適用されるので、第２のレベルはアップリンクＨＡＲＱフィードバック領域の内部で行なわれる（図５のブロック４２）。これは、ＨＡＲＱ確認応答チャネルマッピング、ＨＡＲＱ確認応答チャネルインデックス化（図５のブロック４４）、および、ＨＡＲＱ確認応答チャネルシーケンス（図５のブロック４６）を変更することを含むとしてよい。
【００１２】
制御チャネルの並び替え（図５のブロック４０）は、以下の手順で実行するとしてよい。図２および図３に示すように、ＨＡＲＱ  ＡＣＫチャネルはそれぞれ、３つのＨＡＲＱユニットを含む。各ＨＡＲＱユニットは、２つのＯＦＤＭシンボルによる１つのサブキャリアから成る。図２および図３に示すように、１つのＨＡＲＱユニットを複数の物理サブキャリアにマッピングする方法には２つある。
【００１３】
ＨＡＲＱ  ＡＣＫチャネルの並び替えは、以下に説明するように、一般化され得る。最初に、図６に示すように、１つのＨＡＲＱチャネルのサブキャリアにインデックスを付与する。１つのＨＡＲＱチャネルの３６個のサブキャリアに、Ｐｉというインデックスが付与される。尚、０≦ｉ＜３６であり、ｉをサブキャリアインデックスと呼ぶ。Ｐｉは、Ｐ１２ｍ＋２ｌ＋ｋと書き換えることができ、０≦ｍ＜３、０≦ｌ＜６、０≦ｋ＜２である。式中、ｍは、ＦＭＴインデックスであり、ｌは、ＯＦＤＭシンボルインデックスであり、ｋは、１つの２×６ＦＭＴのうち、１つのＯＦＤＭシンボルのうち、サブキャリアインデックスである。
【００１４】
合計３６個のサブキャリアはさらに、１８個のユニットに分けられる。各ユニットは、２つの連続したＯＦＤＭシンボルから成るサブキャリアを１つ含む。図２および図３にそれぞれ示すように、ユニットには２種類ある。図２に示すユニットは、以下ではタイプ１ユニットと呼ぶ。図３に示すユニットは、以下ではタイプ２ユニットと呼ぶ。２種類のユニットについて、合計３６個のユニット位置がある。１つのユニットの位置は、以下の式で示すように、２つのサブキャリアの位置によって定めることができる。
【数１】
0005526449.tif 000002
尚、０≦ｊ＜３６である。式中、ユニットインデックスはｊと示し、ユニットｊのうちｓ番目のサブキャリアのサブキャリア位置を以下の式で表す。
【数２】
0005526449.tif 000003
尚、０≦ｓ＜２である。最初の１８個のユニットは、タイプ１ユニットであり、サブキャリア位置は以下の式で表される。
【数３】
0005526449.tif 000004
残りの１８個のユニットは、タイプ２ユニットであり、サブキャリア位置は以下の式で表される。
【数４】
0005526449.tif 000005
６個のＨＡＲＱ  ＡＣＫチャネルのサブキャリア位置は、３個のユニットを用いて定義することができる。
【数５】
0005526449.tif 000006
【００１５】
０番目のＨＡＲＱ  ＡＣＫチャネルについては合計で６４個の位置があり、以下の式で定義することができる。
【数６】
0005526449.tif 000007
Ｒ０の前半を以下の数７で、Ｒ０の後半を以下の数８とする。
【数７】
0005526449.tif 000008
【数８】
0005526449.tif 000009
残りのＨＡＲＱ  ＡＣＫチャネルの位置は、最初のＨＡＲＱ  ＡＣＫチャネルの位置に応じて決まる。
【００１６】
Ｒ０∈Ψ´０の場合、第２および第４のＨＡＲＱ  ＡＣＫチャネルの位置は、以下の２つの式で表される。
【数９】
0005526449.tif 000010
【数１０】
0005526449.tif 000011
【００１７】
一方、Ｒ０∈Ψ´´０の場合、第２および第４のＨＡＲＱ  ＡＣＫチャネルの位置は、以下の２つの式で表される。
【数１１】
0005526449.tif 000012
【数１２】
0005526449.tif 000013
【００１８】
３つの奇数のＨＡＲＱ  ＡＣＫチャネルの位置は、３つの偶数のＨＡＲＱ  ＡＣＫチャネルの位置から推定することができる。
【数１３】
0005526449.tif 000014
このため、１種類のユニットについて、１つのＨＡＲＱ  ＡＣＫチャネルにおけるＨＡＲＱ  ＡＣＫチャネル並び替えパターンは合計で６５５３６通りある。１つのＨＡＲＱ  ＡＣＫチャネル並び替えパターンは、１つのインデックスＳによって一意的に表すことができる。尚、０≦Ｓ＜２１６である。Ｓは、ａ０、ａ１、ａ２、・・・、ａ１５として二進法で表すことができる。最初のビットであるａ０は、サブセット選択ビットである。
【数１４】
0005526449.tif 000015
【００１９】
続く５ビットであるａ１、ａ２、・・・、ａ５はＨＡＲＱ  ＡＣＫチャネルＯの位置を説明するために用いることができる。並び替えパターンインデックスａ１、ａ２、・・・、ａ５＝「０００００」の場合、並び替えパターンは、Ψ´０またはΨ´´０の１番目の組み合わせによって選択される。この１番目の組み合わせは、例えば、以下の式で表すようになる。
【数１５】
0005526449.tif 000016
並び替えパターンインデックスａ１、ａ２、・・・、ａ５＝「００００１」の場合、並び替えパターンは、Ψ´０またはΨ´´０の２番目の組み合わせによって選択される。この２番目の組み合わせは、例えば、以下の式で表すようになる。
【数１６】
0005526449.tif 000017
同様に、ビットａ６、ａ７、・・・、ａ１０およびａ１１、ａ１２、・・・、ａ１５はそれぞれ同様に、ＨＡＲＱ  ＡＣＫチャネル２および４の位置を定義するために用いられる。
【００２０】
所与のセクションについて、Ｓは時間軸について変化し、干渉ランダム化を最大限に活用するべく、変化パターンはセクタ毎に異ならせることができる。Ｓの変化パターンの一例を挙げると、セクタ毎乱数状態を持つ擬似乱数である。これに代えて、Ｓは、セクタ間で計画的に決定することもできる。Ｓの計画的決定は、ＨＡＲＱチャネル並び替えパターンの１６ビットを計画的に決定することによって為される。計画的決定の一例では、図７に示すように、ネットワークの一例を用いる。このネットワークは、１９個のセルから構成されている。各セルは、インデックスｃおよびセル識別子（ＣＩＤ）を持つ。尚、１≦ＣＩＤ≦１９である。各セルは、３つのセクタα、βおよびγを持つ。セクタのグローバルインデックスは以下のように定められる。
【数１７】
0005526449.tif 000018
ａ０＝ｓｉｄｍｏｄ２
ａ１、ａ２、・・・、ａ５は以下の式で表すテーブルに従って計画的に決定することができる。
【数１８】
0005526449.tif 000019
そして、再利用距離は３２である。所与のセクタについて、ａ１、ａ２、・・・、ａ５のは、上記のテーブルではインデックスｓｉｄｍｏｄ３２となるべきである。ａ６、ａ７、・・・、ａ１０およびａ１１、ａ１２、・・・、ａ１５も同様に計画的に決定することができる。
【００２１】
ＴＤＭ／ＦＤＭ／ＣＤＭ方法について、図４に示すように、１つのＨＡＲＱユニットを複数の物理サブキャリアにマッピングする方法がある。このＴＤＭ／ＦＤＭ／ＣＤＭ方法において、合計で３６個のサブキャリアはさらに、９個のユニットに分けられて、各ユニットは２つの連続したＯＦＤＭシンボルからなるサブキャリアを２つ持つ。１つのユニットの位置は、４つのサブキャリアの位置によって定義することができる。
【数１９】
0005526449.tif 000020
尚、０≦ｊ＜９である。式中、ユニットインデックスはｊと示し、ユニットｊのうちｓ番目のサブキャリアのサブキャリア位置を以下の式で表す。
【数２０】
0005526449.tif 000021
尚、０≦ｓ＜４である。ユニットの種類は、図４に示すように、一種類しかない。ＴＤＭ／ＦＤＭ／ＣＤＭユニットのサブキャリア位置は、以下の式で表される。
【数２１】
0005526449.tif 000022
【００２２】
最初の２つのＨＡＲＱ  ＡＣＫチャネルについては、合計２つのユニットインデックスがあり、以下の式で定義することができる。
【数２２】
0005526449.tif 000023
Ｒ０＝（Ｑ０，Ｑ４，Ｑ８）である場合には、残りの４つのＨＡＲＱ  ＡＣＫチャネルの位置は、以下の２つの式で定義することができる。
【数２３】
0005526449.tif 000024
【数２４】
0005526449.tif 000025
Ｒ０＝（Ｑ０，Ｑ７，Ｑ５）である場合には、残りの４つのＨＡＲＱ  ＡＣＫチャネルの位置は、以下の２つの式で定義することができる。
【数２５】
0005526449.tif 000026
【数２６】
0005526449.tif 000027
このため、１種類のユニットについて、１つのＨＡＲＱ  ＡＣＫチャネルにおけるＨＡＲＱ  ＡＣＫチャネル並び替えパターンは合計で２通りある。ＡＣＫチャネル並び替えを定義するには１ビットで十分である。
【００２３】
ＨＡＲＱサブチャネルインデックス並び替え（図５のブロック４４）は、以下の手順で行なわれるとしてよい。１つの移動局は、１つのＨＡＲＱ  ＡＣＫチャネルが割り当てられると、論理ＨＡＲＱ  ＡＣＫチャネルインデックスが割り当てられる。論理ＡＣＫチャネルインデックスをｋとすると、ｋの範囲は特定のサブフレームのＡＣＫ論理インデックスプールによって決定されるとしてよい。論理ＨＡＲＱ  ＡＣＫチャネルインデックスと物理ＨＡＲＱ  ＡＣＫチャネルインデックスとのマッピングは、時間軸に応じて変化するとしてよく、変化パターンはセル毎に異なる。１つのＡＣＫ領域について、合計で７２０通りのチャネルインデックス並び替えがある。チャネルインデックス並び替え毎に、論理ＡＣＫチャネルインデックスと物理ＡＣＫチャネルインデックスとのマッピングが異なる。一例を挙げると、各セクタは、０から７１９の間の擬似乱数に応じて並び替えパターンを変更する。そして、各セクタの乱数状態は異なる。
【００２４】
これに代えて、チャネルインデックスは、セクタ間協調を実行するだけの十分な情報があれば、計画的に決定することができる。図７に示すネットワークの例に基づくと、チャネル並び替えは以下に表す関数として表すことができる。
【数２７】
0005526449.tif 000028
この式では、論理ＡＣＫチャネルインデックスが割り当てられると、各基地局は最低利用可能論理ＡＣＫチャネルインデックスまたは最高利用可能論理ＡＣＫチャネルインデックスを割り当てると仮定する。このようにすることで、負荷が低い場合には、セル間ＡＣＫ干渉は時間−周波数ドメインにおいて直交させることができる。
【００２５】
ＨＡＲＱシーケンス並び替え（図５のブロック４６）は以下の手順で行なわれる。物理ＨＡＲＱ  ＡＣＫチャネルでＡＣＫ信号およびＮＡＫ信号を送るために用いられるシーケンスは、ＡＣＫについては数２８、ＮＡＫについては数２９と定義することができる。
【数２８】
0005526449.tif 000029
【数２９】
0005526449.tif 000030
式中、θは時間およびユニットに応じて変化し、変化パターンはセル毎に異なる。一例として以下のものを挙げる。
【数３０】
0005526449.tif 000031
位相インデックスは擬似乱数であり、状態はセクタ毎に異なる。または、セクタ間協調を実行するのに十分な情報があれば計画的に決定することもできる。図７に示すネットワークの一例に基づくと、位相インデックスは以下の式で定義することができる。
【数３１】
0005526449.tif 000032
【００２６】
一部の実施形態によると、図５に示したシーケンスは、ファームウェア、ソフトウェアまたはハードウェアで実現されるとしてよい。ハードウェアで実現する実施形態の場合、図１のＨＡＲＱユニット３０によって実現されるとしてよい。ソフトウェアで実現する実施形態の場合、コントローラ２８等のコンピュータによって実行され、磁気メモリ、光学メモリまたは半導体メモリ等の適切な格納媒体に格納されているコンピュータ可読命令によって実現されるとしてよい。このメモリは、例を２つ挙げると、図１に示すＨＡＲＱユニット３０またはコントローラ２８の一部であってよい。
【００２７】
一部の実施形態によると、本明細書において基地局および移動局として記載している無線通信機は、１以上のアンテナを有するとしてよい。一実施形態によると、移動局および基地局は、送信アンテナを１つ、そして、受信アンテナを２つ有するとしてよい。
【００２８】
本明細書において「一実施形態」または「実施形態」という表現が見られるが、これは、当該実施形態に関連付けて説明した特定の特徴、構造または特性が本発明の少なくとも１つの実施例に含まれることを意味するものである。このため、「一実施形態」または「実施形態において」という表現が繰り返し見られても、必ずしも同じ実施形態を意味しているものではない。また、特定の特徴、構造または特性は、図示した具体的な実施形態とは別の適切な形態で実現するとしてもよく、このような異なる形態は全て、本願の請求項の範囲に含まれるとしてよい。
【００２９】
限られた数の実施形態を参照しつつ本発明を説明したが、当業者であれば、数多くの点での変形および変更に想到するであろう。請求項はそのような変形例および変更例も全て、本発明の真の意図および範囲に入るものとして、含むものとする。
【図１】
0005526449.tif 000033
【図２】
0005526449.tif 000034
【図３】
0005526449.tif 000035
【図４】
0005526449.tif 000036
【図５】
0005526449.tif 000037
【図６】
0005526449.tif 000038
【図７】
0005526449.tif 000039